(57)【特許請求の範囲】
【請求項１】
可撓性のフィルムからなる表面片及び裏面片を少なくとも有し、且つ、上辺部、下辺部及び両側辺部を熱融着することにより袋状に形成されたパウチと、前記パウチの上辺部に設けられた注出部と、を備え、
前記パウチの下辺部の端縁には、先端部から形成されたスリット部にて複数本の棒状部に分割された軸を有する絞り出し具の前記スリット部に挿入され且つ前記軸に係止される延出片が延設されており、
前記延出片が、前記表面片及び裏面片を構成する可撓性フィルムからなる２枚の延出フィルムから構成され、前記２枚の延出フィルムの下端部を熱融着することによって形成された筒状部を有し、
前記筒状部における２枚の延出フィルムの少なくとも何れか一方が、前記絞り出し具のスリット部に挿入可能であることを特徴とするパウチ容器。
【請求項２】
前記筒状部が、前記パウチの下辺部に対して略平行に延びている請求項１に記載のパウチ容器。
【請求項３】
可撓性のフィルムからなる表面片及び裏面片を少なくとも有し、且つ、上辺部、下辺部及び両側辺部を熱融着することにより袋状に形成されたパウチと、前記パウチの上辺部に設けられた注出部と、を備え、
前記パウチの下辺部の端縁には、絞り出し具の軸のスリット部に挿入され且つ前記軸に係止される延出片が延設されており、
前記延出片が、前記パウチの下辺部の端縁から延設された幅狭部と、前記幅狭部から延設された幅広部と、を有することを特徴とするパウチ容器。
【発明の詳細な説明】
【技術分野】
【０００１】
本発明は、可撓性のフィルムを熱融着して袋状に形成されたパウチに、充填物を注出するための注出部が設けられたパウチ容器に関する。
【背景技術】
【０００２】
従来、軟包容器として、可撓性フィルムからなる表面片及び裏面片の両側の間に側面ガゼット片を介在させ、前記表裏面片の上辺部、下辺部及び両側辺部を所定幅熱融着することにより袋状に形成されたパウチと、該パウチの上辺部に取り付けられたスパウトと、を備えるパウチ容器が知られている。
かかるパウチ容器は、スポーツドリンクなどの飲料、アイスクリームやゼリーなどの食品などの充填物を充填する用途の他、医療用途にも使用されている。
【０００３】
医療用途のパウチ容器は、充填物として、経腸栄養剤（ＰＥＧ用栄養剤）、ビタミンなどを含有した栄養補助食品、水分補給用ゼリーなどの流動食品を充填している。
【０００４】
ところで、これらの流動食品は、比較的粘度が高いため、パウチ内から注出させることが困難な場合がある。
そこで、パウチに充填された充填物を余すことなく絞り出すため、一対のアーム状の締めつけ部と、その一方の端部同士を連結するヒンジ部と、もう一方の端部に設けられた開閉自在な係止部と、を有する絞り出し具が知られている（特許文献１）。
かかる特許文献１に開示された絞り出し具は、ヒンジ部を介して一対の締めつけ部を拡げ、その間にパウチを挟み、且つ係止部で前記締めつけ部を固定することにより、パウチに取り付けられる。そして、取り付けた絞り出し具をパウチの開口側にスライドさせることにより、パウチ内の充填物を絞り出すことができる。
しかしながら、かかる絞り出し具は、比較的構造が複雑であり、又、何度か使用しているうちにヒンジ部が破断する場合がある。また、該絞り出し具は、スライドさせて充填物を絞り出す方式であるが、パウチに挟み付けた絞り出し具を該パウチに対してスライドさせる行為自体が難しい。
【０００５】
一方、チューブ容器の末端部に挿入可能なスリット状の開口部を有する軸と、該軸の末端に連設された把手と、を有する絞り出し具も知られている（特許文献２の［００２２］及び図９など）。
かかる絞り出し具の軸のスリット状の開口部にチューブ容器の末端を挿入し、絞り出し具を回転させることによって、軸にチューブ容器を巻き取り、チューブ容器内の充填物を絞り出すことができる。この絞り出し具は、比較的簡易な構造であり、更に、チューブ容器を巻き取って充填物を絞り出す方式なので、絞り出し行為自体も容易に行える。
【特許文献１】特開２００１−１３９０７０号公報
【特許文献２】特開２００４−２１０３２３号公報
【発明の開示】
【発明が解決しようとする課題】
【０００６】
上記のような、軸にスリット部が形成された絞り出し具は、パウチ容器の充填物の絞り出すために使用でき、実際の医療現場などにおいて、パウチ容器から流動食品を絞り出すために使用することができる。
具体的には、絞り出し具の軸のスリット部にパウチ容器の下辺部を挿入し、絞り出し具を回転させて軸にパウチを巻き取ることにより、パウチの上辺部に形成されたスパウトから流動食品を絞り出すことができる。
【０００７】
しかしながら、パウチは、比較的剛性の高い可撓性フィルムで形成されており、更に、内部に充填物が充填されているので、パウチ容器の下辺部を絞り出し具のスリット部に挿入してこれを巻き取る際、パウチ容器の下辺部がスリット部から容易に離脱してしまい、簡便に充填物を絞り出すことができない場合がある。
【０００８】
本発明の課題は、軸にスリット部が形成された絞り出し具をパウチに取り付け、該絞り出し具にパウチを巻き取って充填物を絞り出すことができるパウチ容器であって、パウチの巻き取り時に絞り出し具が容易に離脱しないようにパウチ容器を改良することである。
【課題を解決するための手段】
【０００９】
本発明のパウチ容器は、可撓性のフィルムからなる表面片及び裏面片を少なくとも有し、且つ、上辺部、下辺部及び両側辺部を熱融着することにより袋状に形成されたパウチと、前記パウチの上辺部に設けられた注出部と、を備え、前記パウチの下辺部の端縁には、先端部から形成されたスリット部にて複数本の棒状部に分割された軸を有する絞り出し具の前記スリット部に挿入され且つ前記軸に係止される延出片が延設されており、前記延出片が、前記表面片及び裏面片を構成する可撓性フィルムからなる２枚の延出フィルムから構成され、前記２枚の延出フィルムの下端部を熱融着することによって形成された筒状部を有し、前記筒状部における２枚の延出フィルムの少なくとも何れか一方が、前記絞り出し具のスリット部に挿入可能である。
【００１０】
上記本発明のパウチ容器は、パウチの下辺部の端縁に、２枚の延出フィルムからなる筒状部を有する延出片が延設されている。筒状部における２枚の延出フィルムの少なくとも何れか一方を絞り出し具のスリット部に挿入することにより、絞り出し具の軸に延出片が係止される。従って、絞り出し具を回転させてパウチを巻き取る際に、絞り出し具がパウチから容易に離脱せず、充填物を簡便に絞り出すことができる。
【００１１】
本発明の好ましいパウチ容器は、前記筒状部が、前記パウチの下辺部に対して略平行に延びている。
【００１３】
また、本発明のパウチ容器は、可撓性のフィルムからなる表面片及び裏面片を少なくとも有し、且つ、上辺部、下辺部及び両側辺部を熱融着することにより袋状に形成されたパウチと、前記パウチの上辺部に設けられた注出部と、を備え、前記パウチの下辺部の端縁には、絞り出し具の軸のスリット部に挿入され且つ前記軸に係止される延出片が延設されており、前記延出片が、前記パウチの下辺部の端縁から延設された幅狭部と、前記幅狭部から延設された幅広部と、を有する。
【００１４】
上記本発明のパウチ容器は、例えば、軸の長手方向中途部にスリット部が形成されている絞り出し具を使用することにより、充填物を簡便に絞り出すことができる。
すなわち、パウチ容器の延出片の幅狭部に、絞り出し具のスリット部を嵌めることにより、絞り出し具のスリット部が延出片の幅広部に係止される。従って、絞り出し具を回転させてパウチを巻き取る際に、絞り出し具がパウチから容易に離脱せず、充填物を簡便に絞り出すことができる。
【発明の効果】
【００１５】
本発明のパウチ容器は、軸にスリット部が形成された絞り出し具をパウチの延出片に係止させることができる。本発明のパウチ容器は、延出片に取り付けた絞り出し具がパウチから容易に離脱せず、絞り出し具を回転させることにより、パウチ内の充填物を簡便に絞り出すことができる。
【発明を実施するための最良の形態】
【００１６】
以下、本発明について、図面を参照しつつ具体的に説明する。
（第１実施形態）
図１〜図３に於いて、１は、可撓性のフィルムの周辺部を熱融着することにより、袋状に形成されたパウチ２と、前記パウチ２に設けられた注出部３と、を有するパウチ容器を示す。注出部３としては、例えばスパウト３が挙げられる。
【００１７】
パウチ２は、表面片４及び裏面片５とを少なくとも有する。
また、パウチ２の下辺部２２の端縁には、絞り出し具の軸のスリット部に挿入され且つ前記軸に係止される延出片７が延設されている。
【００１８】
具体的には、パウチ２は、表面片４と、裏面片５と、表裏面片４，５の間に折り畳まれて介在された両側面ガゼット片６，６と、の４面を有する。
表裏面片４，５及び両側面ガゼット片６，６は、最内層にシーラント層を有する可撓性フィルムからなる。
【００１９】
表裏面片４，５及び側面ガゼット片６を構成する可撓性フィルムは、例えば、内側から外側に向かって順に、熱融着するためのシーラント層と、袋の強度（耐屈曲性、耐ピンホール性など）を保持するための基材層と、ガスバリア性や遮光性などを付与するためのバリア層と、表面摩擦や耐熱性などを付与するための外面層と、を有する積層フィルムなどを例示できる。
該可撓性フィルムの厚みは、特に限定されないが、ある程度の剛性を必要とすることから、好ましくは６０μｍ〜１５０μｍである。
【００２０】
表裏面片４，５は、例えば、矩形の下方両側が斜め状に切断された正面六角形状に形成されている。従って、表裏面片４，５の上辺部２１の縁及び下辺部２２の縁は、互いに略平行な直線状に形成され、表裏面片４，５の側辺部２３の縁は、略く字状に形成されている。
両側面ガゼット片６，６は、正面略五角形状に形成されている。側面ガゼット片６の上辺部の縁は、表裏面片４，５の上辺部２１の縁に沿った直線状に形成され、側面ガゼット片６の両側辺部２３の縁は、表裏面片４，５の側辺部２３の縁形状に沿った略く字状に形成されている。
【００２１】
上記表裏面片４，５の両側に、側面ガゼット片６を２つ折りにして挟み込み、表裏面片４，５の両側辺部２３と両側面ガゼット片６，６の両側辺部を熱融着すると共に、表裏面片４，５の上辺部２１の両側部に介在する側面ガゼット片６，６の上辺部と表裏面片４，５の上辺部２１の両側部を熱執着している。
さらに、表裏面片４，５の下辺部２２には、側面ガゼット片６，６が介在しておらず、表面片４の下辺部２２と裏面片５の下辺部２２が直接熱融着されている。
また、表裏面片４，５の上辺部２１の中央部には、スパウト３が挟み込まれており、表面片４の上辺部２１がスパウト３の一面に熱融着され、裏面片５の上辺部２１がスパウト３の他面に熱融着されている。
このように側面ガゼット片６，６及びスパウト３を所定位置に介在させた状態で、表裏面片４，５の上辺部２１、下辺部２２及び両側辺部２３が熱融着されて、袋状のパウチ２が形成されている。
表裏面片４，５の上辺部２１、下辺部２２及び両側辺部２３の熱融着幅は、特に限定されないが、通常、３ｍｍ〜１０ｍｍ程度である。
なお、表裏面片４，５の上辺部２１、下辺部２２及び両側辺部２３は、パウチ２の上辺部２１、下辺部２２及び両側辺部２３に相当する。
【００２２】
パウチ２内には、所望の充填物が充填されている。充填物は、特に限定されず、飲料、アイスクリームやゼリーなどの食品、経腸栄養剤などの流動食品などが挙げられる。中でも、比較的粘度が高いもの、例えば、経腸栄養剤、ビタミンなどを含有した栄養補助食品などの流動食品が充填されたパウチ２に、本発明を適用することが効果的である。
【００２３】
上記で示したパウチ２は、充填物を充填後、底面が形成されない所謂サイドガゼット付きパウチであり、従来公知のものである。
本発明の特徴は、下記に説明するように、絞り出し具に取り付けるための延出片７がパウチ２の下辺部２２から延設されていることであり、パウチ２自体は、上記で示した構造に限定されず、従来公知の種々の構造を採用できる。
例えば、本発明のパウチは、充填物を充填後、表面片及び／又は裏面片の下方領域が折れ曲がり、底面が形成される所謂スタンディングパウチであってもよい。また、本発明のパウチは、表面片、裏面片及び底面片から構成されたスタンディングパウチであってもよい。また、本発明のパウチは、矩形状の表面片及び裏面片から構成された所謂平パウチであってもよい（矩形状の表面片及び裏面片としては、図７を参照）。また、本発明のパウチは、表面片、裏面片及び１枚の側面ガゼット片６から構成されていてもよい。
【００２４】
また、上記で示したパウチ容器１は、注出部としてスパウト３が用いられているが、注出部は、スパウト３を用いないで形成することもできる。例えば、表裏面片４，５の上辺部２１に、挿入用孔部（注出部）が形成されたパウチ容器１でもよい。該パウチ容器１は、挿入用孔部に、別途のチューブを差し込むことにより、パウチ２内の充填物を注出できる。
なお、スパウト３とは、合成樹脂成形品からなる注出用の口部材である。スパウト３は、通常、パウチ２内に連通し、且つパウチ２の外部に突出する管部と、前記管部の開口を閉塞するキャップ部と、を有する。例えば、パウチ２内に流動食品が充填される場合には、スパウト３のキャップ部を外し、パウチ２から突出する管部にチューブを外嵌装着することにより、該チューブを介して、経腸栄養剤や栄養補助食品などの流動食品を患者に投与できる。
【００２５】
次に、延出片７について説明する。
延出片７は、パウチ２の下辺部２２の端縁から外側（下方側）へ延設された部分である。延出片７は、可撓性フィルムで構成されている。
この延出片７は、表裏面片４，５を構成する可撓性フィルムで形成されている。もっとも、表裏面片４，５を構成するフィルムとは異なる別個の可撓性フィルムで延出片７を形成し、該延出片７をパウチ２の下辺部２２に接着することにより、延出片７がパウチ２の下辺部２２から延設されていてもよい。
【００２６】
延出片７は、パウチ２の下辺部２２に対して略平行に延びる筒状部７１を有する。
なお、略平行とは、下辺部２２の延びる方向と筒状部７１の延びる方向の成す角が、０度±１０度の範囲を含む。
この筒状部７１は、その両側（筒状部７１の延びる方向の両側）が開口されている。なお、筒状部７１には、後述するように、絞り出し具の一方の棒状部が挿入されるので、筒状部７１は、両側に開口が形成されているものに限定されず、例えば、図７及び図８に示すように、筒状部７１は、その一方側が開口し且つ他方側が閉塞されていてもよい。
【００２７】
延出片７は、例えば、表面片４及び裏面片５を構成する可撓性フィルムをそれぞれ下方に延出した２枚の延出フィルムから構成されている。この２枚の延出フィルムの下端部がパウチ２の下辺部２２に対して略平行に熱融着されている。２枚の延出フィルムの上端部及び下端部を熱融着することにより（２枚の延出フィルムの上端部の熱融着は、熱融着されたパウチ２の下辺部２２と兼用されている）、熱融着された上下端部の間における２枚の延出フィルムが、非接着とされている。この非接着の部分は、通常、平坦状であるが、２枚の延出フィルムを離反させることによって筒状となる。この非接着部分が、延出片７の筒状部７１となる。
【００２８】
上記筒状部７１には、後述するように、第１の絞り出し具の一方の棒状部が挿入される。従って、筒状部７１の開口面積は、前記一方の棒状部を挿入できる大きさに形成されていればよく、用いる絞り出し具に応じて適宜設定できる。通常、筒状部７１の開口面積は、筒状部７１を略円形に開口した状態を基準として、直径３ｍｍ〜１５ｍｍであり、好ましくは直径５ｍｍ〜１０ｍｍである。
【００２９】
筒状部７１の幅（筒状部７１の延びる方向の長さ）は、特に限定されないが、余りに短いと、第１の絞り出し具９でパウチ２の巻き取りを開始し難いことから、筒状部７１の幅の下限は、例えば、１０ｍｍ以上、好ましくは２０ｍｍ以上である。筒状部７１の幅の上限は、特に限定されないが、パウチ２の幅（表裏面片４，５の幅）よりも長いと、製造上、フィルムロスが生じたり、パウチ容器１の使用上の支障が生じるので、パウチ２の幅と同幅以下が好ましい（パウチ２の幅と略同幅の筒状部７１は、図７参照）。
【００３０】
本実施形態のパウチ容器１には、図４に示すように、先端部からスリット部９２が形成され、該スリット部９２にて複数本の棒状部に分割されている軸９１を有する第１の絞り出し具９が使用される。すなわち、本実施形態のパウチ容器１と第１の絞り出し具９は、両者を組み合わせた絞り出しセット品として使用される。
具体的には、上記第１の絞り出し具９は、例えば、細長い棒状の軸９１と、軸９１の末端部に設けられた円盤状の鍔部９３と、鍔部９３に設けられた把持部９４と、を有する。軸９１は、軸９１の先端部から鍔部９３の近傍にまで形成されたスリット部９２によって２つに分割されている。従って、該軸９１は、スリット部９２を介して平行に延び、先端部が分かれ且つ末端部が結合された一対の棒状部９１１，９１２を有する松葉型である。このような第１の絞り出し具９は、例えば、樹脂成形品で形成することができ、ヒンジ部のような動く部分がなく、簡易な構造である。
【００３１】
かかる絞り出し具９の一方の棒状部９１１を筒状部７１の一方側の開口から挿入し、棒状部９１１の先端側を筒状部７１の他方側の開口から出す。
このように一方の棒状部９１１を筒状部７１に挿入することにより、図５及び図６に示すように、絞り出し具９のスリット部９２に、延出片７の一部（筒状部７１を構成する２枚の延出フィルムの一方の延出フィルム）が挿入された状態となり、第１の絞り出し具９の軸９１に延出片７が係止される。
この状態で絞り出し具９の軸９１を矢印方向（図６参照）に回転させることにより、軸９１の回りにパウチ２が巻き取られ、充填物を絞り出すことができる。
本実施形態のパウチ容器１は、絞り出し具９の軸９１に延出片７が係止されているので、絞り出し具９を回転させてパウチ２を巻き取る際に、絞り出し具９がパウチ２から容易に離脱せず、充填物を簡便に絞り出すことができる。
【００３２】
（第２実施形態）
第２実施形態を説明するにあたっては、上記第１実施形態と同様の構成及び効果については説明を省略し、用語及び符号をそのまま援用する場合がある。
第２実施形態のパウチ容器１は、延出片７の具体的構成を除いて、延出片以外の他の構成は上記第１実施形態と同様である。
【００３３】
図９及び図１０に示すように、本実施形態の延出片７は、パウチ２の下辺部２２の端縁から外側（下方側）へ延設された幅狭部７２と、前記幅狭部７２の端縁から外側（下方側）へ延設された幅広部７３と、を有する。
この延出片７は、裏面片４，５を構成する可撓性フィルムで形成されていてもよいし、別途の可撓性フィルムを用いてもよい。
延出片７は、例えば、表裏面片４，５を構成する可撓性フィルムを延出した２枚の延出フィルムから構成され、該２枚の延出フィルムの内面は互いに熱融着されている。
【００３４】
延出片７の幅狭部７２は、その幅（パウチ２の下辺部２２の延びる方向の長さ）が、延出片７の幅広部７３よりも短い部分を指す。
前記幅狭部７２には、後述するように、第２の絞り出し具のスリット部が挿入される。従って、幅狭部７２の幅Ｗ２は、前記スリット部を挿入できる大きさに形成されていればよく、用いる絞り出し具に応じて適宜設定できる。幅狭部７２の幅Ｗ２は、特に限定されないが、一般的には、２０ｍｍ〜２００ｍｍである。
また、幅狭部７２の縦長さＴ２（上下方向の長さ）は、特に限定されないが、スリット部を挿入したときに、スリット部が幅狭部７２に嵌るようにする観点から、幅狭部７２の縦長さＴ２は、第２の絞り出し具の軸の直径よりも長く形成される。例えば、幅狭部７２の縦長さＴ２は、第２の絞り出し具の軸の直径よりも３ｍｍ〜５ｍｍ程度長く形成されていることが好ましい。
【００３５】
一方、幅広部７３は、幅狭部７２の両側よりも外側へ突出した左右一対の突出部を有する。
幅広部７３の幅Ｗ３は、挿入したスリット部が幅広部７３に係止されるようにするために、スリット部の長さよりも長く形成される。例えば、幅広部７３は、スリット部の長さよりも１０ｍｍ〜３０ｍｍ程度長く形成されていることが好ましい。
また、幅広部７３の幅Ｗ３は、幅狭部７２の幅Ｗ２よりも２０ｍｍ〜４０ｍｍ程度長く形成されていることが好ましい。
【００３６】
本実施形態のパウチ容器１には、図１１に示すように、軸９１の長手方向中途部にスリット部９２が形成されている第２の絞り出し具９が好ましく使用される。すなわち、本実施形態のパウチ容器１と第２の絞り出し具９は、両者を組み合わせた絞り出しセット品として使用されることが好ましい。
具体的には、上記第２の絞り出し具９は、例えば、細長い棒状の軸９１と、軸９１の末端部に設けられた円盤状の鍔部９３と、鍔部９３に設けられた把持部９４と、を有する。軸９１には、軸９１の先端部の近傍から鍔部９３の近傍にまで形成されたスリット部９２が形成されている。このスリット部９２の長さＬは、延出片７の幅狭部７２の幅Ｗ２よりも長く且つ延出片７の幅広部７３の幅Ｗ３よりも短く形成されている。
このような第２の絞り出し具９は、例えば、樹脂成形品で形成することができ、ヒンジ部のような動く部分がなく、簡易な構造である。
【００３７】
かかる第２の絞り出し具９のスリット部９２を延出片７の幅広部７３に対して斜めにして、該スリット部９２を幅広部７３の一方側の突出部から挿入し、スリット部９２を延出片７の幅狭部７２に嵌める。なお、幅広部７３の幅Ｗ３が長い場合には、幅広部７３の一方側の突出部を１８０度折り曲げてスリット部９２を挿入してもよい。
このようにスリット部９２を幅狭部７２に嵌めることにより、図１２に示すように、第２の絞り出し具９のスリット部９２が、延出片７の幅狭部７２に位置し、延出片７の幅広部７３によって抜脱不能に係止される。
この状態で絞り出し具９の軸９１を回転させることにより、軸９１の回りにパウチ２が巻き取られ、充填物を絞り出すことができる。
本実施形態のパウチ容器１も、絞り出し具９の軸９１に延出片７が係止されているので、絞り出し具９を回転させてパウチ２を巻き取る際に、絞り出し具９がパウチ２から容易に離脱せず、充填物を簡便に絞り出すことができる。
【００３８】
なお、本実施形態のパウチ容器１の充填物の絞り出しには、上記第１実施形態で示した第１の絞り出し具を使用することもできる。具体的には、本実施形態のパウチ容器１の延出片７の幅狭部７２に、上記第１の絞り出し具９のスリット部９２を挿入し、第１の絞り出し具９を回転させることにより、本実施形態のパウチ容器１の充填物を絞り出すことができる。
【図面の簡単な説明】
【００３９】
【図１】第１実施形態のパウチ容器を示す正面図。ただし、外面側から見えない熱融着部分の形成範囲を判りやすく図示するため、熱融着部分を薄墨塗りで表す（図５、図７、図９及び図１２も同様）。
【図２】図１のＩ−Ｉ線断面図。
【図３】（ａ）は、図１のＩＩ−ＩＩ線断面図、（ｂ）は、図１のＩＩＩ−ＩＩＩ線断面図。
【図４】第１の絞り出し具を示す斜視図。
【図５】第１実施形態のパウチ容器に第１の絞り出し具を取り付けた状態を示す正面図。
【図６】図５のＩＶ−ＩＶ線断面図。
【図７】第１実施形態のパウチ容器の変形例を示す正面図。
【図８】図７のＶ−Ｖ線断面図。
【図９】第２実施形態のパウチ容器を示す正面図。
【図１０】図９のＶＩ−ＶＩ線断面図。
【図１１】第２の絞り出し具を示す斜視図。
【図１２】第２実施形態のパウチ容器に第２の絞り出し具を取り付けた状態を示す正面図。
【符号の説明】
【００４０】
１…パウチ容器、２…パウチ、２１…パウチの上辺部、２２…パウチの下辺部、３…注出部、４…表面片、５…裏面片、６…側面がゼット片、７…延出片、７１…筒状部、９…第１及び第２の絞り出し具、９１…絞り出し具の軸、９１１，９１２…軸の棒状部、９２…スリット部
【図１】
0005160249.tif 000002
【図２】
0005160249.tif 000003
【図３】
0005160249.tif 000004
【図４】
0005160249.tif 000005
【図５】
0005160249.tif 000006
【図６】
0005160249.tif 000007
【図７】
0005160249.tif 000008
【図８】
0005160249.tif 000009
【図９】
0005160249.tif 000010
【図１０】
0005160249.tif 000011
【図１１】
0005160249.tif 000012
【図１２】
0005160249.tif 000013